(57)【要約】      （修正有）【課題】製造コストが安く、開閉作業が簡単で開き状態を確実に維持できる容器を提供する。【解決手段】容器１は、胴部１０と、この胴部の下端部を塞ぐ底部と、この胴部に一体をなして連なるとともに周方向に沿って配列され胴部の上端開口を開閉する４つの蓋片３１〜３４とを備えている。開き状態において、胴部は下端から上端に向かって径が漸次増大する逆円錐台形状をなし、４つの蓋片は胴部の延長方向に斜め上方に延びている。４つの蓋片と胴部との境には主折線１１、１２が形成され、蓋片が主折線で折れ曲がることにより上記胴部の上端開口が閉じられる。この閉じ状態において、４つの蓋片からなる四角形の天面部が形成されるとともに、胴部の上端部がこの天面部に対応して四角形に変形される。蓋片３１の切込線３１ａに蓋片３３の挿入部３３ａを挿入することにより、４つの蓋片の閉じ状態が維持される。【選択図】図１
2015143117.tif 000002
【特許請求の範囲】
【請求項１】
胴部と、この胴部の下端部を塞ぐ底部と、この胴部に一体をなして連なるとともに周方向に沿って配列され胴部の上端開口を開閉する４つの蓋片とを備え、
開き状態において、上記胴部は下端から上端に向かって径が漸次増大する逆円錐台形状をなし、上記４つの蓋片は上記胴部の延長方向に斜め上方に延びており、
上記４つの蓋片と胴部との境には主折線が形成され、これら蓋片が主折線で折れ曲がることにより上記胴部の上端開口が閉じられ、この閉じ状態において、上記主折線が直線をなし、対向する主折線同士が平行をなし、隣接する主折線同士が直角をなし、これにより、上記４つの蓋片からなる四角形の天面部が形成されるとともに、上記胴部の上端部がこの天面部に対応して四角形に変形され、
上記４つの蓋片の少なくとも１つの蓋片と他の蓋片の噛み合いにより、４つの蓋片の閉じ状態が維持されることを特徴とする容器。
【請求項２】
上記胴部には、上記隣接する蓋片間から下方に向かって延びる直線状の補助折線が形成されていることを特徴とする請求項１に記載の容器。
【請求項３】
上記４つの蓋片のうち、対向する第１対の蓋片に互いに噛み合う噛み合い部が形成され、上記閉じ状態において、上記第１対の蓋片が残りの第２対の蓋片の上側に位置することを特徴とする請求項１または２に記載の容器。
【請求項４】
上記第１対の蓋片のいずれか一方には、上記主折線と上記噛み合い部との間において、互いに平行をなす一対の間欠切込線が当該蓋片の一方の側縁から他方の側縁にわたって形成され、これら間欠切込線間の部位が切り取り予定部として提供され、
上記第２対の蓋片にも互いに噛み合う噛み合い部が形成されていることを特徴とする請求項３に記載の容器。
【請求項５】
上記対をなす蓋片の噛み合い部の一方が切込線からなり、他方の噛み合い部がこの切込線に挿入される挿入部からなることを特徴とする請求項３または４に記載の容器。
【請求項６】
上記４つの蓋片のうち、対向する第１対の蓋片は、蓋片本体とこの蓋片本体の両側縁から周方向に突出する挿入部とを有し、残りの第２対の蓋片は上記胴部との境またはその近傍部において切込線を有し、
上記閉じ状態において上記第１対の蓋片が上記第２対の蓋片の上側に位置するとともに、上記第１対の蓋片の挿入部が上記第２対の蓋片の切込線に挿入されることを特徴とする請求項１に記載の容器。
【請求項７】
上記第２対の蓋片は、上記第１対の蓋片より低く形成されるとともに、開き状態において上記挿入部の下方に位置することを特徴とする請求項６に記載の容器。
【請求項８】
上記第１対の蓋片において、上記蓋片本体と上記挿入部の境には直線状の補助折線が形成されていることを特徴とする請求項６または７に記載の容器。
【発明の詳細な説明】
【技術分野】
【０００１】
本発明は、閉じ状態において底部が円形で天面部が四角形をなす容器に関する。
【背景技術】
【０００２】
特許文献１に開示された容器は、胴部とこの胴部の上端に連なる閉塞部とを備えている。
開き状態において、上記胴部は逆円錐台形状、すなわち断面円形で下端から上端に向かって漸次径が拡大する形状をなしている。上記閉塞部は全周にわたって連続しており、複雑な折線を有している。
【０００３】
上記特許文献１の容器は、菓子等の内容物を収容した後で上記閉塞部を折線に沿って折り畳むとともに、接着することにより、内容物を密封している。この閉じ状態において上記閉塞部により形成された天面部は四角形をなす。上記胴部の下端部は断面円形のままであるが、上端部は上記天面部に対応して断面四角形に変形される。
【０００４】
上記容器は、閉じ状態において、胴部の下端部から中間部が逆円錐台形状であるので持ち易く、天面部および胴部の上端部が四角形のため特異な外観を呈しながら断面積の大きな減少を回避でき、内容積を確保できる。しかも閉塞部が胴部と一体をなしており、別体をなす蓋を必要としないので部品点数を低減することもできる。
【先行技術文献】
【特許文献】
【０００５】
【特許文献１】実用新案登録第２５０５９１９号公報
【発明の概要】
【発明が解決しようとする課題】
【０００６】
上記特許文献１の容器は、閉塞部を折り畳んで閉じる工程が煩雑であり、また、閉塞部の接着状態を解除して開く作業も煩雑であり、しかも、この開き状態が安定せず、内容物を取り出しにくい。特に、内容物自体が小袋に密封されていたり厳密な密封性を必要としない場合や、例えば店頭で内容物を収容し購入者が必要に応じて閉じるような場合に上記容器を用いると、使い勝手が悪い。
【課題を解決するための手段】
【０００７】
本発明は上記課題を解決するためになされたもので、胴部と、この胴部の下端部を塞ぐ底部と、この胴部に一体をなして連なるとともに周方向に沿って配列され胴部の上端開口を開閉する４つの蓋片とを備えた容器であって、
開き状態において、上記胴部は下端から上端に向かって径が漸次増大する逆円錐台形状をなし、上記４つの蓋片は上記胴部の延長方向に斜め上方に延びており、
上記４つの蓋片と胴部との境には主折線が形成され、これら蓋片が主折線で折れ曲がることにより上記胴部の上端開口が閉じられ、この閉じ状態において、上記主折線が直線をなし、対向する主折線同士が平行をなし、隣接する主折線同士が直角をなし、これにより、上記４つの蓋片からなる四角形の天面部が形成されるとともに、上記胴部の上端部がこの天面部に対応して四角形に変形され、
上記４つの蓋片の少なくとも１つの蓋片と他の蓋片の噛み合いにより、４つの蓋片の閉じ状態が維持されることを特徴とする。
【０００８】
上記構成によれば、閉じ状態において、胴部の下端部から中間部が逆円錐台形状であるので持ち易く、天面部および胴部の上端部が四角形のため特異な外観を呈しながら断面積の大きな減少を回避でき、内容積を確保できる。しかも蓋片が胴部と一体をなしており、別体をなす蓋を必要としないので部品点数を低減することもできる。
また、蓋片を噛み合わせたりこの噛み合わせを解除することにより、蓋片の開閉作業を簡単に行うことができる。さらに、蓋片の開き状態では、胴部の上端部が断面円形に維持されるのに伴い蓋片の起立状態が維持されるので、蓋片の開き状態が安定しており、内容物を取り出し易い。
【０００９】
好ましくは、上記胴部には、上記隣接する蓋片間から下方に向かって延びる直線状の補助折線が形成されている。
上記構成によれば、蓋片を閉じる際に、胴部の上端部が四角形に変形し易くなる。
【００１０】
一つの態様では、上記４つの蓋片のうち、対向する第１対の蓋片に互いに噛み合う噛み合い部が形成され、上記閉じ状態において、上記第１対の蓋片が残りの第２対の蓋片の上側に位置する。
上記構成によれば、対向する蓋片の噛み合いにより蓋片を閉じるので、閉じ作業及び開き作業を用意に行うことができる。
【００１１】
好ましくは、上記第１対の蓋片のいずれか一方には、上記主折線と上記噛み合い部との間において、互いに平行をなす一対の間欠切込線が当該蓋片の一方の側縁から他方の側縁にわたって形成され、これら間欠切込線間の部位が切り取り予定部として提供され、上記第２対の蓋片にも互いに噛み合う噛み合い部が形成されている。
この構成によれば、第１対の蓋片を、その噛み合い部の解除によらず、切り取り予定部を切り取ることにより、開くことができる。これは第１対の蓋片の噛み合いが強固で解除するのに手間がかかる場合に特に有効である。
さらにこの構成では、再び蓋片を閉じる場合に、第１片の蓋片を下側にし第２片の蓋片を上側にして、第２片の蓋片の噛み合い部を噛み合わせることにより、閉じ状態を維持することができる。
【００１２】
好ましくは、上記対をなす蓋片の噛み合い部の一方が切込線からなり、他方の噛み合い部がこの切込線に挿入される挿入部からなる。
この構成によれば、噛み合い部の形状が簡単で、噛み合わせおよび噛み合わせ解除作業を容易にすることができる。
【００１３】
他の態様では、上記４つの蓋片のうち、対向する第１対の蓋片は、蓋片本体とこの蓋片本体の両側縁から周方向に突出する挿入部とを有し、残りの第２対の蓋片は上記胴部との境またはその近傍部において切込線を有し、上記閉じ状態において上記第１対の蓋片が上記第２対の蓋片の上側に位置するとともに、上記第１対の蓋片の挿入部が上記第２対の蓋片の切込線に挿入される。
この構成によれば、第１対の蓋片の各々は、両側の一対の挿入部を切込線に挿入することにより、良好な閉じ状態を得ることができる。
【００１４】
好ましくは、上記第２対の蓋片は、上記第１対の蓋片より低く形成されるとともに、開き状態において上記挿入部の下方に位置する。
この構成によれば、比較的小さな面積のシート材料を用いて大きな内容積の容器を得ることができる。
好ましくは、上記第１対の蓋片において、上記蓋片本体と上記挿入部の境には直線状の補助折線が形成されている。
この構成によれば、挿入部を折り曲げ易くなり、切込線への挿入作業を円滑に行うことができる。
【発明の効果】
【００１５】
本発明の容器は、製造コストが低く、開閉作業が簡単であり、しかも安定した開き状態を維持できる。
【図面の簡単な説明】
【００１６】
【図１】本発明の第１実施形態をなす容器を蓋片が開いた状態で示す斜視図である。
【図２】同第１実施形態をなす容器を蓋片が閉じた状態で示す斜視図である。
【図３】同第１実施形態をなす容器を示すもので、（Ａ）は正面図、（Ｂ）は背面図、（Ｃ）は右側面図である。
【図４】同第１実施形態をなす容器を示すもので、（Ａ）は平面図、（Ｂ）は底面図である。
【図５】同第１実施形態をなす容器を、肉厚を誇張して示す縦断面図である。
【図６】同第１実施形態をなす容器のブランクを示す図である。
【図７】本発明の第２実施形態をなす容器を蓋片が開いた状態で示す斜視図である。
【図８】同第２実施形態をなす容器を蓋片が閉じた状態で示す斜視図である。
【図９】同第２実施形態をなす容器を示すもので、（Ａ）は正面図、（Ｂ）は背面図、（Ｃ）は右側面図、（Ｄ）は左側面図である。
【図１０】同第２実施形態をなす容器を示すもので、（Ａ）は平面図、（Ｂ）は底面図である。
【図１１】同第２実施形態をなす容器のブランクを示す図である。
【図１２】本発明の第３実施形態をなす容器を蓋片が開いた状態で示す斜視図である。
【図１３】同第３実施形態をなす容器を蓋片が閉じた状態で示す斜視図である。
【図１４】同第３実施形態をなす容器を示すもので、（Ａ）の正面図，（Ｂ）は右側面図である。
【図１５】同第３実施形態をなす容器を示すもので、（Ａ）は平面図、（Ｂ）は底面図である。
【図１６】同第３実施形態をなす容器のブランクを示す図である。
【図１７】本発明の第４実施形態をなす容器を蓋片が開いた状態で示す斜視図である。
【図１８】同第４実施形態をなす容器を蓋片が閉じた状態で示す斜視図である。
【図１９】同第４実施形態をなす容器を示すもので、（Ａ）は正面図、（Ｂ）は背面図、（Ｃ）は右側面図である。
【図２０】同第４実施形態をなす容器を示すもので、（Ａ）は平面図、（Ｂ）は底面図である。
【図２１】同第４実施形態をなす容器を、肉厚を誇張して示す縦断面図である。
【図２２】同第４実施形態をなす容器のブランクを示す図である。
【図２３】本発明の第５実施形態をなす容器を蓋片が開いた状態で示す斜視図である。
【図２４】同第５実施形態をなす容器を蓋片が閉じた状態で示す斜視図である。
【図２５】同第５実施形態をなす容器を示すもので、（Ａ）は正面図、（Ｂ）は背面図、（Ｃ）は右側面図である。
【図２６】同第５実施形態をなす容器を示すもので、（Ａ）は平面図、（Ｂ）は底面図である。
【図２７】同第５実施形態をなす容器のブランクを示す図である。
【図２８】本発明の第６実施形態をなす容器を蓋片が開いた状態で示す斜視図である。
【図２９】同第６実施形態をなす容器を蓋片が閉じた状態で示す斜視図である。
【図３０】同第６実施形態をなす容器を示すもので、（Ａ）の正面図，（Ｂ）は右側面図である。
【図３１】同第６実施形態をなす容器を示すもので、（Ａ）は平面図、（Ｂ）は底面図である。
【図３２】同第６実施形態をなす容器のブランクを示す図である。
【発明を実施するための形態】
【００１７】
以下、本発明の第１実施形態について、図１〜図６を参照しながら説明する。
図１〜図５に示す容器１は例えば紙製であり菓子やインスタント食品等の内容物を収容する。容器１は、胴部１０と、この胴部１０の下端を塞ぐ底部２０と、この胴部１０の上端開口を開閉する４枚の蓋片３１〜３４とを備えている。
【００１８】
上記容器１の胴部１０と蓋片３１〜３４は図６に示す１枚のブランク１’により形成され、一体をなして連なっている。このブランク１’は、所定の剛性を有し一方の面に薄い樹脂層が積層してなる紙製シートをプレス加工することにより、図６の輪郭を有して切り出される。
【００１９】
上記ブランク１’は、扇形状をなす胴部形成予定部１０’とこの胴部形成予定部１０’の上縁に沿って配列された４つの独立した蓋片３１〜３４を有している。蓋片３１〜３４間には、スリット３５が形成されている。胴部形成予定部１０’の下縁と蓋片３１〜３４の上縁の外接円は、異なる曲率半径で同じ曲率中心を有する円弧形状をなす。
【００２０】
上記ブランク１’は、その両側縁に重ね代１ａを有している。この重ね代１ａは、上記胴部形成予定部１０’の下縁および蓋片３１〜３４の上縁の外接円と直交している。本実施形態では、重ね代１ａが蓋片３４を分断している。
【００２１】
上記紙製シートをプレス加工してブランク１’を製造する際に、ブランク１’に切込線３１ａと主折線１１〜１４と補助折線１５も形成される。切込線３１ａは、ブランク１’を厚み方向に貫通する線状のスリットである。主折線１１〜１４および補助折線１５は、例えば線状に圧縮することにより、又はミシン目のように線に沿って間隔をおいて孔や圧縮部を形成することにより、曲げ応力を受けた時に他の部位より折られ易くなっている線状の部位である。
【００２２】
上記切込線３１ａは、蓋片３１に形成され上に凸の湾曲形状をなしている。上記主折線１１〜１４は、胴部形成予定部１０’と蓋片３１〜３４の境に形成され、ブランク１’上では直線をなしている。上記補助折線１５は、スリット３５の下端から下方に上記曲率中心に向かって直線的に延びている。この補助折線１５の長さは、好ましくは胴部１０の高さの１０〜５０％、より好ましくは２０〜３０％とする。
【００２３】
上記ブランク１’を逆円錐台形状のマンドレルに巻き付け、両側縁の重ね代１ａを重ね合わせ熱を加えて溶着することにより、逆円錐台形状の胴部１０を有する容器１の原形が形成される。なお、図１〜図５では重ね代１ａを省略して示す。
図５に示すように、上記容器１の原形の下端縁部と円形の板２１の周縁部２１ａを巻き込み成形することにより、底部２０を有する容器１が完成する。
【００２４】
図１、図３〜図５に示す初期状態（開き状態）での容器１について説明する。４つの蓋片３１〜３４は、逆円錐台形状をなす胴部１０の延長方向に沿って胴部１０から斜め上方に延びている。これら蓋片３１〜３４は胴部１０の上縁に沿って周方向に配列され同一高さを有している。ブランク１’上では直線だった主折線１１〜１４は、周方向に円弧状に延びるとともに僅かに下に凸となるように湾曲している。
【００２５】
上記構成をなす容器１の作用について説明する。例えば工場で菓子等の内容物を初期状態（開き状態）の容器１に充填した後、図２に示すように、４つの蓋片３１〜３４を閉じる。より具体的には、対向する一対の蓋片３２，３４（第２対の蓋片）をその先端縁部が重なるようにして最初に閉じる。次に、対向する他の一対の蓋片３１．３３（第１対の蓋片）を閉じる。この際、蓋片３１、蓋片３３の順で閉じるとともに、蓋片３３の先端縁の中央部３３ａ（噛み合い部）を蓋片３１の切込線３１ａ（噛み合い部）に挿入する。この中央部３３ａ（以下、挿入部３３ａと称す）と切込線３１ａの噛み合いにより、４つの蓋片３１〜３４の閉じ状態が維持される。
【００２６】
上記蓋片３１〜３４は主折線１１〜１４で折り曲げられて閉じ状態となるが、この閉じ状態で主折線１１〜１４は直線になり、対向する主折線同士が平行をなし、隣接する主折線が直交している。その結果、閉じ状態の蓋片３１〜３４で構成される容器１の天面部３９は四角形（本実施形態では正方形）となる。
【００２７】
開き状態で逆円錐台形状であった胴部１０は、上記閉じ状態においてその上端部が弾性変形され、上記天面部３９の四角形に対応して横断面四角形に変形される。この際、直線状の補助折線１５が、この胴部１０の上端部の変形を助ける。
【００２８】
上記容器１に収容された内容物を取り出す際に、簡単な作業で蓋片３１〜３４を開くことができる。具体的には最初に蓋片３３の挿入部３３ａを蓋片３１の切込線３１の切込線３１ａから外すようにして蓋片３３を開く。すると、胴部１０の上端部は正方形の断面形状から円形の断面形状へと復帰し、この胴部１０の上端部の弾性復帰力により、蓋片３１〜３４が起立して図１、図３〜５に示す開き状態になる。この開き状態では胴部１０は逆円錐台形状を維持され、蓋片３１〜３４も起立した開き状態を維持される。そのため、内容物を容易に取り出すことができる。
容器１は必要に応じて、再び蓋片３１〜３４を閉じることができるが、その閉じ作業は上述したように簡単である。
【００２９】
上記容器１の用途は多様である。例えば店頭において初期状態（開き状態）の容器１を積み重ねて保管しておき、この容器１にフライドポテト等の内容物を充填して販売することもできる。この場合、購入者は、そのまま内容物を取り出し、必要に応じて閉じることができる。
【００３０】
次に、本発明の他の実施形態について図面を参照しながら説明する。これら実施形態において、先行する実施形態に対応する構成部には図中同番号を付してその詳細な説明を省略する。
【００３１】
図７〜図１１に示す第２実施形態では第１実施形態と同様に、蓋片３１に、上に凸に湾曲した切込線３１ａが形成される。この切込線３１ａの中間部には上方に延びる補助切込線３１ｂが連なっている。
【００３２】
さらに上記蓋片３１には、上記切込線３１ａと主折線１１との間において、互いに平行をなす一対の間欠切込線３１ｘが蓋片３１の一方の側縁から他方の側縁にわたって形成されている。これら一対の間欠切込線３１ｘ間の部位が切り取り予定部３１ｙとして提供される。これら間欠切込線３１ｘ、切り取り予定部３１ｙは、ブランク１’上では、主折線１１と平行をなして直線的に延びる。
【００３３】
上記蓋片３１に対向する蓋片３３の上縁は他の蓋片３１，３２，３４より低いが、その上縁の中央には上方に突出する挿入部３３ａが形成されている。この挿入部３３ａの両側縁下端から互いに下方に向かって近づくように補助切込線３３ｂが形成されるとともに、この切込線３３ｂの下端同士が補助折線３３ｃによって連なっている。上記切込線３３ｂにより、挿入部３３ａは実質的に補助折線３３ｃまで延長されている。
【００３４】
さらに蓋片３２には上に凸となるように湾曲した切込線３２ａが形成されており、これに対向する蓋片３４の上縁中央部は挿入部３４ａとして提供される。
【００３５】
上記蓋片３１〜３４は次のようにして閉じられる。まず、対向する蓋片３２、３４（第２対の蓋片）を閉じる。この際、最初に蓋片３２を閉じてから蓋片３４を閉じ、その過程で蓋片３４の挿入部３４ａを蓋片３２の切込線３２ａに挿入し、両者を噛み合わせておくのが好ましいが、蓋片３２，３４を噛み合わせずに閉じてもよい。
【００３６】
次に、対向する蓋片３１，３３（第１対の蓋片）を閉じる。この際、蓋片３１を閉じてから蓋片３３を閉じ、その過程で、蓋片３３の挿入部３３ａを蓋片３１の切込線３１ａに挿入して両者を噛み合わせる。本実施形態では、蓋片３３の挿入部３３ａは上縁から突出するとともに補助切込線３３ｂにより延長されているため、蓋片３１の切込線３１ａに深く入り込む。この状態で、蓋片３１において切込線３１ａの下側の部位（図７および図９（Ａ）において符号３１ｃで示す）が上記蓋片３３の補助切込線３３ｂに入り込む。このようにして、確実に閉じ状態を維持できる。
【００３７】
蓋片３１〜３４を開く場合には、蓋片３３の挿入部３３ａを蓋片３１の切込線３１ａから抜くようにして開くこともできるが、上述したように深く噛み合っているので面倒な場合もある。その場合には、切り取り予定部３３ｙの一端を指でつまんで引くことにより、蓋片３１から切り取り予定部３３ｙを切り取る。これにより、蓋片３１，３３の噛み合い状態が解消され、蓋片３１〜３４を開くことができる。なお、蓋片３４の挿入部３４ａと蓋片３２の切込線３２ａとが噛み合っている場合には、この噛み合いも解除する必要がある。
【００３８】
上記容器１を再び閉じる場合には、上記とは逆に、蓋片３１，３３（第１対の蓋片）を最初に閉じてから、蓋片３２，３４を閉じ，これら蓋片３２，３４の切込線３２ａと挿入部３４ａを噛み合わせて閉じ状態を維持する。
【００３９】
図１２〜図１６は本発明の第３実施形態を示す。この実施形態の容器１は、対向する一対の蓋片３６（第１対の蓋片）と、対向する一対の蓋片３７（第２対の蓋片）とを備えている。第１、第２実施形態と同様に、各蓋片３６，３７と胴部１０との境には主折線１６，１７が形成されている。
【００４０】
上記蓋片３６は、蓋片本体３６ａと，この蓋片本体３６ａの両側縁から周方向に突出する挿入部３６ｂとを有している。この蓋片本体３６ａと挿入部３６ｂとの境には直線状の補助折線３６ｃが形成されている。
上記蓋片３７は蓋片３６より低く、その両側部は上記蓋片３６の挿入部３６ｂの下方に位置している。これら蓋片３７と胴部１０の境には、主折線１７の中間部において切込線１８が形成されている。
【００４１】
図１３に示すようにして上記容器１を閉じる際には、最初に一対の蓋片３７を折り曲げた後で、一対の蓋片３６を折り曲げる。この際、これら蓋片３６の挿入部３６ｂを補助折線３６ｃに沿って略直角に折り曲げ、上記切込線１８に挿入する。この閉じ状態で、下側の一対の蓋片３７の先端縁は互いに離れており、上側の一対の蓋片３６の蓋片本体３６ａの先端縁は略一致した位置にある。
【００４２】
上記第３実施形態の容器１は、蓋片３６，３７の高さを第１、第２実施形態より低くすることができ、内容積を増大させることができる。特に一対の蓋片３７が低いので、容器１の開き状態で内容物を取り出し易い。
【００４３】
図１７〜図２２は本発明の第４実施形態を示す。この実施形態の容器１は、下記の点を除いて第１実施形態と同様である。
・胴部１０の高さの蓋片３１〜３４の高さに対する比が、第１実施形態より小さい。
・蓋片３１の切込線３１ａが下に凸となるように湾曲している。
・蓋片３３の上縁が他の蓋片３１，３２，３４より低く、この上縁の中央に挿入部３３ａが突出している。
【００４４】
図２３〜図２７は本発明の第５実施形態を示す。この実施形態の容器１は、下記の点を除いて第１実施形態と同様である。
・胴部１０の高さの蓋片３１〜３４の高さに対する比が、第１実施形態より小さく、第４実施形態と似ている。
・蓋片３１の切込線３１ａに補助切込線３１ｂが形成されている。
・蓋片３２，３４（第２対の蓋片）が蓋片３１、３３（第１対の蓋片）より低い。
【００４５】
図２８〜図３２は本発明の第６実施形態を示す。この実施形態の容器１は、下記の点を除いて第３実施形態と同様である。
・胴部１０の高さの蓋片３１〜３４の高さに対する比が、第３実施形態より小さい。
・一対の蓋片３６の挿入部３６ｂが蓋片３６の中間高さから周方向に突出するとともに円弧を描くようにして下方に湾曲している。
・一対の蓋片３７と胴部１０の境に形成された切込線１８が２つに分かれており、これら切込線１８に主折線１７が形成されている。
【００４６】
本発明は、上記実施形態に制約されず、種々の態様を採用することができる。
上記実施形態では容器を紙製シートで構成したが、材質は種々選択可能である。
閉じ状態において、上側の一対お蓋片を架け渡すようにしてシールを貼ってもよい。この場合、シールを剥がすか切断してから蓋片の開き作業を行う。
【産業上の利用可能性】
【００４７】
本発明は、菓子等を収容する容器に適用できる。
【符号の説明】
【００４８】
１  容器
１０  胴部
１１〜１４，１６，１７  主折線
１５  補助折線
１８  切込線
２０  底部
３１〜３４、３６、３７  蓋片
３１ａ、３２ａ  切込線（噛み合い部）
３３ａ，３４ａ  挿入部（噛み合い部）
３１ｘ  間欠切込線
３１ｙ  切り取り予定部
３６ａ  蓋片本体
３６ｂ  挿入部
３６ｃ  補助折線
３９  天面部
【図１】
2015143117.tif 000003
【図２】
2015143117.tif 000004
【図３】
2015143117.tif 000005
【図４】
2015143117.tif 000006
【図５】
2015143117.tif 000007
【図６】
2015143117.tif 000008
【図７】
2015143117.tif 000009
【図８】
2015143117.tif 000010
【図９】
2015143117.tif 000011
【図１０】
2015143117.tif 000012
【図１１】
2015143117.tif 000013
【図１２】
2015143117.tif 000014
【図１３】
2015143117.tif 000015
【図１４】
2015143117.tif 000016
【図１５】
2015143117.tif 000017
【図１６】
2015143117.tif 000018
【図１７】
2015143117.tif 000019
【図１８】
2015143117.tif 000020
【図１９】
2015143117.tif 000021
【図２０】
2015143117.tif 000022
【図２１】
2015143117.tif 000023
【図２２】
2015143117.tif 000024
【図２３】
2015143117.tif 000025
【図２４】
2015143117.tif 000026
【図２５】
2015143117.tif 000027
【図２６】
2015143117.tif 000028
【図２７】
2015143117.tif 000029
【図２８】
2015143117.tif 000030
【図２９】
2015143117.tif 000031
【図３０】
2015143117.tif 000032
【図３１】
2015143117.tif 000033
【図３２】
2015143117.tif 000034